【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
対象者に刺激を提供する１つ又は複数の刺激器と、
前記対象者における睡眠徐波活動と、睡眠セッション中に前記対象者に提供される刺激とに関連する情報を伝達する出力信号を発生する、１つ又は複数のセンサと、
前記１つ又は複数の刺激器及び前記１つ又は複数のセンサと動作可能に通信する１つ又は複数のハードウェアプロセッサと、
を備え、前記１つ又は複数のハードウェアプロセッサは、機械可読命令によって、
所定の治療計画にしたがって前記睡眠セッション中に前記対象者に刺激を提供するように、前記１つ又は複数の刺激器を制御し、
前記出力信号に基づいて、所与の睡眠セッションに対する睡眠セッション睡眠徐波活動基準及び睡眠セッション刺激基準を決定し、
前記睡眠セッション睡眠徐波活動基準を、前記対象者に対して刺激が提供された前の睡眠セッションに基づいて決定された、参照睡眠徐波活動基準と比較し、
前記比較及び前記睡眠セッション刺激基準に基づいて、更新された参照睡眠徐波活動基準を決定する、
参照睡眠徐波活動基準決定システム。
【請求項２】
前記１つ又は複数のセンサが脳波（ＥＥＧ）センサを含み、前記１つ又は複数の刺激器が音発生器を含み、前記１つ又は複数のハードウェアプロセッサは、
前記睡眠セッション睡眠徐波活動基準が、前記所与の睡眠セッションに対するＥＥＧの０．５〜４Ｈｚ帯の平均出力、又は前記所与の睡眠セッションに対する合計蓄積出力、の１つ若しくは複数を含み、
前記睡眠セッション刺激基準が、前記所与の睡眠セッション中に鳴らされる音の数、前記所与の睡眠セッション中に鳴らされる音の平均音量、又は睡眠サイクル毎の音の数、の１つ若しくは複数を含むように構成された、請求項１に記載の参照睡眠徐波活動基準決定システム。
【請求項３】
前記睡眠セッション睡眠徐波活動基準を前記参照睡眠徐波活動基準と比較して、前記所与の睡眠セッションに対する前記対象者の睡眠徐波活動増強が決定されるように、前記１つ又は複数のハードウェアプロセッサが構成された、請求項１に記載の参照睡眠徐波活動基準決定システム。
【請求項４】
前記比較が、前記睡眠セッション睡眠徐波活動基準と前記参照睡眠徐波活動基準との差を決定し、前記参照睡眠徐波活動基準によって前記差を正規化することを含むように、前記１つ又は複数のハードウェアプロセッサが構成された、請求項３に記載の参照睡眠徐波活動基準決定システム。
【請求項５】
前記更新された参照睡眠徐波活動基準を決定することが、以前の睡眠徐波活動増強を含む前記所与の睡眠セッションの前記睡眠セッション刺激基準、及び以前の睡眠セッションの対応する以前の睡眠セッション刺激基準に対して前記睡眠徐波活動増強をプロットし、曲線をプロットに適合させ、前記曲線の適合に基づいて前記更新された参照睡眠徐波活動基準を決定することを含むように、前記１つ又は複数のハードウェアプロセッサが構成された、請求項４に記載の参照睡眠徐波活動基準決定システム。
【請求項６】
１つ又は複数の刺激器、１つ又は複数のセンサ、及び１つ又は複数のハードウェアプロセッサを備える決定システムを用いて実施される、参照睡眠徐波活動基準決定方法であって、前記方法は、
前記１つ又は複数のハードウェアプロセッサを用いて、所与の治療計画にしたがって睡眠セッション中に対象者に刺激を提供するように、前記１つ又は複数の刺激器を制御するステップと、
前記１つ又は複数のセンサを用いて、前記対象者における睡眠徐波活動と、睡眠セッション中に前記対象者に提供される刺激とに関連する情報を伝達する出力信号を発生させるステップと、
前記１つ又は複数のハードウェアプロセッサを用いて、前記出力信号に基づいて、所与の睡眠セッションに対する睡眠セッション睡眠徐波活動基準及び睡眠セッション刺激基準を決定するステップと、
前記１つ又は複数のハードウェアプロセッサを用いて、前記睡眠セッション睡眠徐波活動基準を、前記対象者に対して刺激が提供された前の睡眠セッションに基づいて決定された、参照睡眠徐波活動基準と比較するステップと、
前記１つ又は複数のハードウェアプロセッサを用いて、前記比較及び前記睡眠セッション刺激基準に基づいて、更新された参照睡眠徐波活動基準を決定するステップとを有する、参照睡眠徐波活動基準決定方法。
【請求項７】
前記１つ又は複数のセンサが脳波（ＥＥＧ）センサを含み、
前記１つ又は複数の刺激器が音発生器を含み、
前記睡眠セッション睡眠徐波活動基準が、前記所与の睡眠セッションに対するＥＥＧの０．５〜４Ｈｚ帯の平均出力、又は前記所与の睡眠セッションに対する合計蓄積出力、の１つ若しくは複数を含み、
前記睡眠セッション刺激基準が、前記所与の睡眠セッション中に鳴らされる音の数、前記所与の睡眠セッション中に鳴らされる音の平均音量、又は睡眠サイクル毎の音の数、の１つ若しくは複数を含む、請求項６に記載の参照睡眠徐波活動基準決定方法。
【請求項８】
前記睡眠セッション睡眠徐波活動基準を前記参照睡眠徐波活動基準と比較して、前記所与の睡眠セッションに対する前記対象者の睡眠徐波活動増強が決定される、請求項６に記載の参照睡眠徐波活動基準決定方法。
【請求項９】
前記比較が、前記睡眠セッション睡眠徐波活動基準と前記参照睡眠徐波活動基準との差を決定し、前記参照睡眠徐波活動基準によって前記差を正規化することを含む、請求項８に記載の参照睡眠徐波活動基準決定方法。
【請求項１０】
前記更新された参照睡眠徐波活動基準を決定するステップが、以前の睡眠徐波活動増強を含む前記所与の睡眠セッションの前記睡眠セッション刺激基準、及び以前の睡眠セッションの対応する以前の睡眠セッション刺激基準に対して前記睡眠徐波活動増強をプロットし、曲線をプロットに適合させ、前記曲線の適合に基づいて前記更新された参照睡眠徐波活動基準を決定することを含む、請求項９に記載の参照睡眠徐波活動基準決定方法。
【請求項１１】
睡眠セッション中に対象者に対して刺激を提供する手段と、
所定の治療計画にしたがって睡眠セッション中に前記対象者に対して刺激を提供するように、前記刺激を提供する手段を制御する手段と、
前記対象者における睡眠徐波活動と、睡眠セッション中に前記対象者に提供される刺激とに関連する情報を伝達する出力信号を発生させる手段と、
前記出力信号に基づいて、所与の睡眠セッションに対する睡眠セッション睡眠徐波活動基準及び睡眠セッション刺激基準を決定する手段と、
前記睡眠セッション睡眠徐波活動基準を、前記対象者に対して刺激が提供された前の睡眠セッションに基づいて決定された参照睡眠徐波活動基準と比較する手段と、
前記比較及び前記睡眠セッション刺激基準に基づいて、更新された参照睡眠徐波活動基準を決定する手段とを備える、参照睡眠徐波活動基準決定システム。
【請求項１２】
前記出力信号を発生させる手段が脳波（ＥＥＧ）センサを含み、
前記刺激を提供する手段が音発生器を含み、
前記睡眠セッション睡眠徐波活動基準が、前記所与の睡眠セッションに対するＥＥＧの０．５〜４Ｈｚ帯の平均出力、又は前記所与の睡眠セッションに対する合計蓄積出力、の１つ若しくは複数を含み、
前記睡眠セッション刺激基準が、前記所与の睡眠セッション中に鳴らされる音の数、前記所与の睡眠セッション中に鳴らされる音の平均音量、又は睡眠サイクル毎の音の数、の１つ若しくは複数を含む、請求項１１に記載の参照睡眠徐波活動基準決定システム。
【請求項１３】
前記睡眠セッション睡眠徐波活動基準を前記参照睡眠徐波活動基準と比較して、前記所与の睡眠セッションに対する前記対象者の睡眠徐波活動増強が決定される、請求項１１に記載の参照睡眠徐波活動基準決定システム。
【請求項１４】
前記比較が、前記睡眠セッション睡眠徐波活動基準と前記参照睡眠徐波活動基準との差を決定し、前記参照睡眠徐波活動基準によって前記差を正規化することを含む、請求項１３に記載の参照睡眠徐波活動基準決定システム。
【請求項１５】
前記更新された参照睡眠徐波活動基準を決定するステップが、以前の睡眠徐波活動増強を含む前記所与の睡眠セッションの前記睡眠セッション刺激基準、及び以前の睡眠セッションの対応する以前の睡眠セッション刺激基準に対して前記睡眠徐波活動増強をプロットし、曲線をプロットに適合させ、前記曲線の適合に基づいて前記更新された参照睡眠徐波活動基準を決定することを含む、請求項１４に記載の参照睡眠徐波活動基準決定システム。